(57)【要約】本発明には、外表面を有する本体ケーシングと、外表面に配置された複数の光源（ＬＳ）を有する無線移動通信デバイスが含まれる。機械アクセス可能媒体には、ルミネセンス・イメージを空間的にペイントするために空間動き依存の形で複数のＬＳを選択的にアクティブ化する命令が供給される。さらに、プロセッサが、命令を実行するために機械アクセス可能媒体に結合される。結果として、無線移動通信デバイスを使用するルミネセンス・イメージの空間ペインティングが、容易にされる。
2005517970.tif 000002
【特許請求の範囲】
【請求項１】
無線移動通信デバイスであって、
外表面を有する本体ケーシングと、
前記本体ケーシングの前記外表面に配置された複数の光源（ＬＳ）と、
前記無線移動通信デバイスが空間的に動かされている間に、ルミネセンス・イメージの空間ペインティングを行うために、空間移動依存の形で前記ＬＳを選択的にアクティブ化するための命令をその中にエンコードされた機械アクセス可能媒体と、
前記命令を実行するために前記ＬＳおよび前記機械アクセス可能媒体に結合されたプロセッサと
を含む無線移動通信デバイス。
【請求項２】
さらに、前記プロセッサに結合された加速度計を含む請求項１に記載の無線移動通信デバイス。
【請求項３】
前記命令が、前記空間移動依存の形で前記複数のＬＳをアクティブ化する時に加速度を考慮する請求項２に記載の無線移動通信デバイス。
【請求項４】
前記命令が、前記空間移動依存の形で前記複数のＬＳをアクティブ化する時に向きを考慮する請求項２に記載の無線移動通信デバイス。
【請求項５】
前記加速度計が、圧電超小型加速度計を含む請求項２に記載の無線移動通信デバイス。
【請求項６】
前記複数のＬＳが、単一色ＬＳを含む請求項１に記載の無線移動通信デバイス。
【請求項７】
前記複数のＬＳが、多色ＬＳを含む請求項１に記載の無線移動通信デバイス。
【請求項８】
前記複数のＬＳが、１つまたは複数の直線状に編成される請求項１に記載の無線移動通信デバイス。
【請求項９】
前記無線移動通信デバイスが所定の形で移動させられる時に、前記複数のＬＳが、平行な直線を形成する８つのＬＳを有する請求項８に記載の無線移動通信デバイス。
【請求項１０】
前記無線移動通信デバイスが所定の形で移動させられる時に、前記複数のＬＳが、直線ごとに２ＬＳの８つの平行な直線を形成する１６個のＬＳを有する請求項８に記載の無線移動通信デバイス。
【請求項１１】
前記命令が、さらに、編成に依存して編成されたＬＳをアクティブ化する請求項８に記載の無線移動通信デバイス。
【請求項１２】
前記本体ケーシングが、互いに取外し可能に結合される第１部分および第２部分を含む請求項１に記載の無線移動通信デバイス。
【請求項１３】
前記ＬＳとそのＬＳを選択的にアクティブ化する前記命令が同一の部分に配置される請求項１２に記載の無線移動通信デバイス。
【請求項１４】
前記ＬＳが前記第１部分に配置され、前記ＬＳを選択的にアクティブ化する命令が前記第２部分に配置される請求項１２に記載の無線移動通信デバイス。
【請求項１５】
前記ＬＳが前記第２部分に配置され、前記ＬＳを選択的にアクティブ化する前記命令が前記第１部分に配置される請求項１２に記載の無線移動通信デバイス。
【請求項１６】
前記本体ケーシングが、前記無線移動通信デバイスのアンテナが下向きに配置される反転構成を含む請求項１に記載の無線移動通信デバイス。
【請求項１７】
さらに、前記無線移動通信デバイスの加速度を増やすデバイスを含む請求項１６に記載の無線移動通信デバイス。
【請求項１８】
前記外表面が、横外表面、上外表面、下外表面、前外表面、および後外表面の選択された１つである請求項１に記載の無線移動通信デバイス。
【請求項１９】
前記無線移動通信デバイスが、さらに、複数の入力キーを含み、前記ＬＳが前記入力キーと一体に配置される請求項１に記載の無線移動通信デバイス。
【請求項２０】
前記複数のＬＳが８つのＬＳを含む請求項１に記載の無線移動通信デバイス。
【請求項２１】
前記複数のＬＳが９つのＬＳを含む請求項１に記載の無線移動通信デバイス。
【請求項２２】
無線移動通信デバイスの空間的移動の１つまたは複数の移動属性を感知し、
前記１つまたは複数の感知された移動属性を使用して、ルミネセンス・イメージの空間ペインティングを行うために、空間移動に依存して前記無線移動通信デバイスの本体ケーシングの外表面に配置された複数の光源（ＬＳ）を選択的にアクティブ化することを含む方法。
【請求項２３】
感知することが、前記無線移動通信デバイスの前記空間移動の向きの変化を感知することを含む請求項２２に記載の方法。
【請求項２４】
前記複数のＬＳをアクティブ化する前記空間依存の形が、前記ＬＳの前記アクティブ化を、空間移動の向きの前記感知された変化に少なくとも部分的に基づかせることを含む請求項２３に記載の方法。
【請求項２５】
前記方法が、さらに、前記無線移動通信デバイスの動きの速度についてユーザを案内するために、聴覚インジケータおよび視覚インジケータの選択された１つを生成することを含む請求項２２に記載の方法。
【請求項２６】
前記複数のＬＳが、前記外表面に配置され、１つまたは複数の直線編成で編成され、前記ＬＳの前記アクティブ化が、さらに、編成依存の形で実行される請求項２２に記載の方法。
【請求項２７】
さらに、前記無線移動通信デバイスの加速を増やすことを含む請求項２２に記載の方法。
【請求項２８】
さらに、前記無線移動通信デバイスに事前保管されたイメージの複数の指定から前記ルミネセンス・イメージに対応するデータを検索することを含む請求項２２に記載の方法。
【請求項２９】
さらに、前記無線移動通信デバイスの入力手段を介して前記ルミネセンス・イメージに対応するデータを入力する前記無線移動通信デバイスのユーザから前記ルミネセンス・イメージに対応する前記データを受け取ることを含む請求項２２に記載の方法。
【請求項３０】
さらに、リモート・コンピューティング・デバイスから前記ルミネセンス・イメージを検索することを含む請求項２２に記載の方法。
【請求項３１】
エンコードされた命令を格納した機械可読媒体であって、その命令は、製品と無線移動通信デバイスの選択された１つの外表面に配置された複数の光源（ＬＳ）を有する前記無線移動通信デバイスによって実行される時に、その無線移動通信デバイスが空間的に動かされている間に、ルミネセンス・イメージの空間ペインティングを行うために空間移動依存の形で前記ＬＳを選択的にアクティブ化するものである機械可読媒体
を含む製品。
【請求項３２】
前記製品が、前記無線移動通信デバイスの交換可能なカバリングである請求項３１に記載の製品。
【請求項３３】
前記交換可能なカバリングが、交換可能な面板および交換可能なカバー・スキンの選択された１つである請求項３２に記載の製品。
【請求項３４】
前記交換可能なカバリングが、前記ルミネセンス・イメージの前記空間ペインティングを実施するデータを有する交換可能なカバリングを含む請求項３２に記載の製品。
【請求項３５】
前記データが、オーディオ・データを含む請求項３４に記載の製品。
【請求項３６】
前記無線移動通信デバイスが、無線送信を介して、ルミネセンス・イメージの前記空間ペインティングを実施するデータを受信する請求項３１に記載の製品。
【請求項３７】
前記データが、オーディオ・データおよびテキスト・データの少なくとも１つを含む請求項３６に記載の製品。
【請求項３８】
前記複数のＬＳが８つのＬＳを含む請求項３１に記載の製品。
【請求項３９】
前記複数のＬＳが９つのＬＳを含む請求項３１に記載の製品。
【請求項４０】
無線移動通信デバイスが空間的に動かされている間に、その無線移動通信デバイスの本体ケーシングの外表面に配置された複数の光源（ＬＳ）を使用して、空間移動依存の形で空間的にペイントされるルミネセンス・イメージを表す保管されたデータを検索し、
前記無線移動通信デバイスの前記空間移動に少なくとも部分的に基づいて前記複数のＬＳのアクティブ化および非アクティブ化に関するタイミング情報を判定し、
前記判定されたタイミング情報に従って前記複数のＬＳを選択的にアクティブ化し、非アクティブ化することを含む方法。
【請求項４１】
タイミング情報の判定が加速度計が存在するかどうかを検出することを含む請求項４０に記載の方法。
【請求項４２】
タイミング情報の判定が、さらに、前記加速度計から受け取られる信号に基づいて加速度の変化を判定することを含む請求項４１に記載の方法。
【請求項４３】
選択的なアクティブ化および非アクティブ化が、少なくとも前記加速度信号の変化に基づいて前記複数のＬＳを選択的にアクティブ化し、非アクティブ化することを含む請求項４１に記載の方法。
【発明の詳細な説明】
【技術分野】
【０００１】
本発明は、無線移動通信デバイスの分野に関する。具体的には、本発明は、無線移動通信デバイスを使用するルミネセンス・シグナリング・ディスプレイ（luminescent signaling display：発光表示）を実現することに関する。
【背景技術】
【０００２】
集積回路技術および遠隔通信技術の進歩によって、無線移動クライアント・デバイス、具体的には無線移動通信デバイスが幅広く採用されてきた。無線移動電話などの無線移動通信デバイスによって、そのユーザが、サービス網の到達範囲内である限りどこにいても、同僚、友人、および家族によって通信的に到達可能になることができるという利点が提供される。無線移動電話が流行しているので、ユーザは、自宅など、従来の有線回線電話機が使用可能な場合であっても、無線移動電話機が第１の通信媒体であると考えることがある。ユーザが、従来の有線回線電話機をとる前に、無線移動電話機をとることも多い。したがって、専門家以外の人であっても、通信の必要を満たすために無線移動電話に頼るようになっている。しかし、無線移動電話の従来の機能が、ユーザの必要とする通信に不適切であるという情況が存在する。
【０００３】
たとえば、通信したいと思う人が見える範囲にいれば、ユーザは大声で話しかけることができる。その区域がやかましい場合には、大声で話すことが有効でない場合がある。もう１つの方法は手で合図することであるが、これは、手信号の暗号的な性質に起因して、メッセージを伝えるのに有効でないであろう。表示の大きい身振りがもう１つの方法であるであろうが、この方法はその区域が比較的暗い場合に有効でない。
【０００４】
ユーザは、無線移動電話機を使用して他の人を呼び出すことができるが、他の人を呼び出すためには、その人がその人自身の無線移動電話機を持っていることが必要である。その人の電話番号を知る必要もある。さらに、やかましい状態などの、理想的状態より悪い状態での通信の問題は無線移動電話機を使用して他の人を呼び出すことによっては解決されない。
【０００５】
無線移動電話機の使用に関する前述の問題は、無線移動ポケット・ベル、インスタント・メッセンジャなどの他の無線移動通信デバイスにも同様にあてはまる。
【０００６】
注：本明細書（本文および請求項）で使用する用語「無線移動電話」は、ユーザが、ユーザの移動にかかわらず、「サービス局」の通信範囲内にいれば、無線によって電話を掛けたり、受けたりすることができる機器を備えた種類の電話デバイスを指す。明示的に排除されない限り、用語「無線移動電話」に、アナログ亜種ならびにディジタル亜種（すべてのシグナリング・プロトコルの）が含まれる。さらに、無線移動通信デバイスを、単に無線移動デバイスまたは無線通信デバイスと称する。特定の文脈でそうでないことが必要でない限り、本明細書の全般的な文脈で、この２つの用語を交換可能に使用する。
【発明を実施するための最良の形態】
【０００７】
本発明を、制限ではなく例として、添付図面に示すが、図面では、類似する符号が類似する要素を示す。
【０００８】
理解しやすくするために、本発明を無線移動電話機に関して説明する。しかし、本発明をすべての無線移動デバイスすなわち、電話機、ポケット・ベル、インスタント・メッセンジャ、および他の同様のデバイスで実施できることが想定されている。したがって、この説明での無線移動電話機への言及は、単に例示であり、請求項に対する制限として読んではならない。
【０００９】
以下の説明では、本発明のさまざまな実施形態を説明する。しかし、本発明を、説明され実施形態の態様の一部だけまたはすべてを用いて実践できることは、当業者に明白である。説明において、本発明の完全な理解を提供するために、具体的な数、材料、および構成を示す。しかし、本発明を、これらの特定の詳細なしで実践できることも、当業者に明白である。他の場合には、本発明を不明瞭にしないために、周知の特徴を省略または単純化する。
【００１０】
説明の一部を、当業者が作業の実質を他の当業者に伝えるのに一般に使用される形と一貫する形で、データ、フラグ、ビット、値、文字、文字列、数、および類似物を使用して、コンピュータ・システムによって実行されるオペレーションに関して提示する。当業者が理解するとおり、これらの量は、コンピュータ・システムの機械構成要素、電気構成要素、および／または光構成要素を介して、保管、転送、組合せ、および他の形で操作することができる電気信号、磁気信号、または光信号の形をとり、用語コンピュータ・システムには、独立の、補助の、または組込みの、汎用ならびに特殊用途の、データ処理機械、システム、および類似物が含まれる。
【００１１】
さまざまなオペレーションを、本発明の理解を助ける形で複数の別個のステップとして説明するが、記述の順序は、これらのオペレーションが必ずしも順序依存であることを暗示するものと解釈してはならない。具体的には、これらのオペレーションを、提示される順序で実行する必要はない。
【００１２】
本発明のさまざまな実施形態は、ルミネセンス・イメージの生成および表示を無線移動電話機を使用して実施する。
【００１３】
図１Ａから１Ｃは、本発明の教示を組み込んだ、無線移動デバイス、具体的には無線移動電話機の一実施形態を示す図である。図１Ａの無線移動電話機の側面図からわかるように、無線移動電話機１００は、無線移動電話機１００の本体ケーシングの側面１０５に、無線移動電話機１００の仮想の長軸１１１に沿って実質的に直線的に配置された複数の発光ダイオード（ＬＥＤ）１１０を備える。図示の実施形態では、８つのＬＥＤが設けられ、実質的に直線の形で配置されている。一実施形態では、実質的に直線に配置される９つのＬＥＤを設ける。代替実施形態では、より多数またはより少数のＬＥＤを設けることができ、かつ／または直線でない他の幾何学的構成で配置することができ、上面または下面、前面または背面、およびこれらの組合せを含む、無線移動電話機１００の他のまたは複数の外表面に配置することもできる。さらに、本発明を、ＬＥＤに関して説明するが、本願（請求項を含む）で使用される用語は、類似する種類のすべての光源を含むものとして広義に解釈されなければならない。言い換えると、本発明を、ＬＥＤ以外の他の類似する光源を用いて実践できることが想定されている。
【００１４】
図１Ｂからわかるように、ディスプレイ区域１２０やスピーカ区域１２１、マイクロホン区域１２２、英数字機能を有するさまざまなキー１２３、任意選択のアンテナ１２４が無線移動電話機１００の正面図に含まれている。ユーザ（図示せず）は、さまざまなキー１２３を使用する方法によって、たとえばテキスト・イメージ「ＳＥＥ  ＹＯＵ」などの所望のイメージを選択または入力することができる。このイメージは、ユーザのためにディスプレイ区域１２０に表示することができ、選択されたまたは入力されたイメージについてユーザにフィードバックが与えられる。しかし、ディスプレイ区域１２０は通常比較的小さい寸法のために、無線移動電話機１００のディスプレイ区域１２０のこのイメージは、他のユーザが自分の前に直接に無線移動電話機１００を有するのでなければ、他の人に視覚的にイメージを伝えるのには小さすぎる。本発明によれば、ＬＥＤ１１０および補助論理（たとえば、図９のブロック９０７）を使用して空間的にペイントされるルミネセンス・イメージ（発光イメージ）として、イメージを他の人またはユーザに視覚的に伝えることができる。
【００１５】
図１Ａ、１Ｂに示されたＬＥＤ１１０のそれぞれは、単独または他のＬＥＤと組み合わせて空間的にペイントされるルミネセンス・イメージの単一の画素を形成するさまざまなタイプのＬＥＤを表している。たとえば、ＬＥＤ１１０のそれぞれを、１つの単一色のＬＥＤ、または多色の１つのＬＥＤ（すなわち、異なる色で光ることができる一つのＬＥＤ）とすることができる。一実施形態では、各画素が３つの単一色ＬＥＤを使用して形成される。３つの単一の色は赤１３０、緑１３１、青１３２（図１Ｃに図示）である。
【００１６】
図示の実施形態では、ＬＥＤ１１０が、無線移動電話機１００を使用するルミネセンス・イメージの空間ペインティングを行うのに使用される。以下で説明するように、イメージに、それぞれが単一色か色の混合である英数字文字、単語、句、形状、および動く画を含むがこれに制限されない視覚的イメージを含めることができる。
【００１７】
図２に、本発明の一実施形態による、無線移動電話機を使用して実現される例示的なルミネセンス・イメージを示す。図２からわかるように、前述の形で本体ケーシングに組み込まれたＬＥＤ１１０を有する無線移動電話機１００が横へ空間的に動かされる。具体的に言うと、この空間移動は、連絡しようとする相手の視線に実質的に垂直な平面で行われる。無線移動電話機１００が説明したように横に移動させられるとき、ＬＥＤ１１０は、相手に見えるルミネセンス・イメージ２２０を形成するためにその空間移動にタイミングを合わて、選択的にアクティブ化、すなわち、オンまたはオフに切り替えられる。
【００１８】
横の動きは、複数の代替機構によって達成することができる。１技法では、ルミネセンス・イメージ２２０を見る相手にＬＥＤ１１０をまっすぐ向け、無線移動電話機１００の長軸１１１をほぼ垂直に向けて、ユーザが片手で無線移動電話機１００を持ち、無線移動電話機１００を横に動かす。横の動きには、無線移動電話機１００を第１の向き２１０に移動させ、移動電話機を逆の方向２１１に移動させることが含まれる。方向の逆転を数回繰り返すことができる。イメージまたはテキストの列を、一方向への移動のそれぞれで繰り返してペイントすることができる。代替案では、テキストの長い列またはイメージのシーケンスを略さずに示すために、方向反転の際にイメージまたはテキストの列を変更することができる。ルミネセンス・イメージ２２０は知覚的に持続される。無線移動電話機１００が横方向に移動させられ、ＬＥＤが、空間的移動に依存する形で繰り返してアクティブ化／非アクティブ化されるからである。
【００１９】
ルミネセンス・イメージ２２０（図２に示された）は、残像と称されている現象に適切な速度でＬＥＤ１１０を選択的にアクティブ化する（オンまたはオフにする）ことによって、無線移動電話機１００を使用してペイントされる。残像とは、人が暗いところで光源を動かした時に、人間の目に光の軌跡が見える現象である。
【００２０】
したがって、無線移動電話機１００が横に速く移動すると、ほとんどの情況で、ルミネセンス・イメージ２２０が、一般に、より明瞭かつ鮮明になる。一方、ＬＥＤ１１０を有する無線移動電話機１００が横にゆっくり移動すると、ほとんどの情況で、ルミネセンス・イメージ２２０が、一般に、より不明瞭になる。見る人は、安定したイメージを見るのではなく、点滅するかぼけたルミネセンス・イメージを見ることになる。残像現象は、既知であり、したがって、これ以上詳細には説明しない。
【００２１】
一実施形態で、加速度計（図９に符号９５０として図示）を使用して、無線移動電話機１００の動きを判定することができる。加速度計は、ＬＥＤ１１０の選択的アクティブ化を調整して、比較的低速の横の動きで比較的明瞭なルミネセンス・イメージ２２０を空間的にペイントするのを助けるのに使用される。その構成要素に働く力を加速度計で測定することによって、物体の速度が変化する割合すなわち加速度が測定され、その測定値が、通常は、電気信号に変換される。加速度計の信号は、無線移動電話機の向きが変る時を判定するのにも使用することができる。さらに、加速度計は、異なる向きの動きを示すのを助けることができる。たとえば、図２を参照すると、加速度計は、第１の方向２１０と第２の方向２１１（すなわち、左から右へと右から左へ）の間での動きの向きの変化を示すのを助けることができる。向きの変化を示すことによって、動きの向きに対応するルミネセンス・イメージの空間ペインティングが容易になる。たとえば、図２で、ルミネセンス・イメージ２２０は、ある向きで見られるように空間的にペイントすることができる、すなわち、動きの向きに基づいてＬＥＤをアクティブ化することで、２つの方向２１０と２１１に対応する、すなわち、第１方向２１０のイメージと第２方向２１１の逆のイメージが異なるのを防ぐことができる。イメージは、第１方向２１０でペイントされ、次に、裏返しのイメージになるのを防いだ逆の方向２１１でペイントされる。この加速度計は、圧電超小型加速度計（これに制限はされない）などの非常に小さいサイズのものが入手可能であり、無線移動電話機１００などのさまざまなデバイスに含めることができる。
【００２２】
図３に、本発明の一実施形態による、無線移動電話機のＬＥＤを使用するルミネセンス・イメージの空間ペインティングに対する異なるタイプの動きの効果を示す。図３からわかるように、本体ケーシングにＬＥＤ１１０を組み込んだ無線移動電話機１００が、弧を描く動き３１０で動かされる。無線移動電話機１００の弧を描く動きによって、「曲がった」ルミネセンス・イメージ３２０が空間的にペイントされる。曲がったルミネセンス・イメージ３２０は円弧経路３３０すなわち無線移動電話機１００の動きの経路をたどる。しかし、動きのさまざまな他の経路に対応する形状でルミネセンス・イメージを同様に空間的にペイントできることを諒解されたい。
【００２３】
図１から３では、無線移動電話機１００の本体ケーシングが、無線移動電話機１００の長軸１１１に沿って実質的に直線の形で組み込まれたＬＥＤ１１０を有する。前にほのめかしたように、無線移動電話機１００の本体ケーシングは、少なくとも８つのＬＥＤを好ましい向きを含むさまざまな向きにＬＥＤ１１０を配置し、その結果、無線移動電話機１００が動かされる時に、８つのＬＥＤが等間隔の８つの平行の線を形成するようにすることができる。代替案では、無線移動電話機１００が、少なくとも１６個のＬＥＤが８つの平行の線（線ごとに２ＬＥＤ）を形成するように配置されて組み込まれたＬＥＤ１１０を有することができる。さらに、図１から３からわかるように、無線移動電話機１００の本体ケーシングは８つのＬＥＤ１１０を有する。８つまたは９つのＬＥＤが、好ましい個数であるが、ＬＥＤの個数は、８つまたは９つより少数または多数とすることができる。さらに、図１に関して上で説明したように、図１から３に示されたＬＥＤは、さまざまなタイプのＬＥＤとすることができる。
【００２４】
その結果、ルミネセンス・イメージの空間ペインティングを無線移動電話機を使用して行うことができる。
【００２５】
図４Ａ、４Ｂに、無線移動電話機を使用することによって行われる、ルミネセンス・イメージの空間ペインティングに関する本発明の代替実施形態を示す。図４Ａ、４Ｂに、２つの部分からなる本体ケーシングを有する無線移動電話機が示されている。一方は、むき出しにされた無線移動電話機４００であり、他方はカバリング４２０である。カバリング４２０の実施形態は図８Ｂに関して説明する。むき出しにされた移動電話機４００とカバリング４２０は、むき出しにされた移動電話機４００（図４Ａに図示）の左側がカバリング４２０（図４Ｂに図示）の右側に対応する配置である、すなわち、図４Ｂは、カバリング４２０の内側の図である。
【００２６】
図４Ａを参照すると、むき出しにされた移動電話機４００に、スピーカ４１０、マイクロホン４１１、ディスプレイ４１２、複数のボタン４１３が含まれる。実質的にボタン４１３と同一の位置に、マトリックス配置（または複数行複数列の直線状編成）の複数のＬＥＤ４１５がある。ＬＥＤ４１５は、ＬＥＤの光が、ボタン４１３によって覆われるキー４２５（図４Ｂに図示）を通して見えるようにするために、ボタン４１３の配置によく一致するマトリックス配置である。前に説明したように、ＬＥＤ４１５（または他の光源）は、同一色または異なる色の単一の色または複数の色とすることができる。色には、赤１３０、緑１３１、青１３２または他の組合せ（図１Ｃに図示）を含めることができる。光源は、任意の幾何学的構成に配置することができ、１つまたは複数の外表面に配置することができる。
【００２７】
図４Ｂを参照すると、カバリング４２０に、スピーカ区域４２１、ディスプレイ区域４２２、マイクロホン区域４２３、さらに、むき出しにされた移動電話機４００（図４Ａに図示）のボタン４１３を押下げるためにキー４２５が成形されるキーパッド４２４が含まれる。キーパッド４２４、具体的にはキー４２５は、カバリング４２０が定位置にある時の、その下に配置されたＬＥＤ４１５を見やすくするために、半透明の材料から作ることができる。図４Ａ、４Ｂに示された実施形態では、無線移動電話機が、キーパッド４２４のキー４２５の下のボタン４１３の近くに配置されたマトリックス配置の複数のＬＥＤ４１５を有し、普通の無線移動電話機の外部の外見が可能になる。しかし、ＬＥＤを、無線移動電話機の背面など（これに制限はされない）の露出された表面のいずれかにマトリックス配置で配置することができる。図示の実施形態では、むき出しにされた移動電話機４００とカバリング４２０が互いに取り付けられると、ＬＥＤ４１５から発する光が、キー４２５を通して見える。好ましい配置では、３つのＬＥＤすなわち、赤１３０、緑１３１、青１３２のＬＥＤ（図１Ｃに図示）がキー４２５のそれぞれの下にある。
【００２８】
図５Ａ、５Ｂに、上で図４Ａ、４Ｂに関して説明したものなどの無線移動電話機を使用することによるルミネセンス・イメージの空間ペインティングを示す。図５Ａからわかるように、無線移動電話機５００が、前に図２に関して説明したように、横の動き５１０で動かされる。一実施形態では、ペイントされるルミネセンス・イメージが、ある形状、具体的には、顔５２０（図５Ｂに図示）の単純なレンダリングである。さらに、無線移動電話機５００が前後に動かされ、ＬＥＤがアクティブ化／非アクティブ化される時に、顔５２０を動く画にすることができ、たとえば、顔５２０の形状を変更して、ウインク、微笑など（これに制限はされない）の形に変更することができる。
【００２９】
一実施形態では、組み立てられた無線移動電話機５００（図５Ａに図示）を静的すなわち全く動かないものとし、ルミネセンス・イメージである顔５２０（図５Ｂに図示）を、マトリクス配置のＬＥＤ４１５でのスクロールによってペイントすることができる。さらに、ルミネセンス・イメージを、ＬＥＤ４１５でスクロールする時に動く画になるように変更することもできる。たとえば、ルミネセンス・イメージを微笑またはウインクなどの形に変更することができる。
【００３０】
前に説明したように、ＬＥＤの数を変更することができる。多数のＬＥＤによって、高解像度のイメージおよび高い可視性をもたらすことができる。たとえば、キーの下のＬＥＤのほかに、カバリングにＬＥＤを組み込むか固定して、ルミネセンス・イメージを生成し、表示できるより大きいマトリックスを提供することもできる。一実施形態では、無線移動電話機に、ＬＥＤの２つの平行な行が含まれる。１つの行の各ＬＥＤが、第２の行の対応するＬＥＤを有し、対応するＬＥＤの対が形成される。ＬＥＤの各対応する対が、同時にオンまたはオフにされ、これによって、作られる光の量が増える。一般に、アクティブ化および非アクティブ化は、編成依存の形すなわち、ＬＥＤがその配置でグループ化され編成される形に依存して、さらに制御することができる。
【００３１】
図５Ｂに示された例などのイメージは、不揮発性メモリ（図９に符号９１０として図示）に事前にインストールしておくか、その代わりに、インターネット・アドレスから検索することができ、後者の場合に、アドレス指定は、１つまたは複数のＵｎｉｆｏｒｍ  Ｒｅｓｏｕｒｃｅ  Ｉｄｅｎｔｉｆｉｅｒ（ＵＲＩ）の形とすることができる。イメージは、電話の呼によるインスタント・メッセージング通信を使用して、または無線移動電話機のグラフィカル操作ツールを使用して、移動電話機に転送することもできる。表示されるテキストは、キー４２５などの移動電話機のテキスト入力機構のいずれかを使用することによって入力することができる。
【００３２】
一実施形態では、無線移動電話機の本体ケーシングが、複数の側面に組み込まれたＬＥＤを有している。たとえば、無線移動電話機の本体ケーシングは、長軸に沿って実質的に直線状に組み込まれたＬＥＤ（図１から３に図示）と、キーの下に配置されたＬＥＤ（図４Ａに図示）の両方を有することができる。この例では、無線移動電話機が、２つの方向２１０と２１１（図２に図示）に動かされる時に、直線状に長軸に沿って埋め込まれたＬＥＤをアクティブ化および非アクティブ化して、ルミネセンス・イメージ２２０（図２に図示）に似た第１のルミネセンス・イメージを空間的にペイントする。さらに、キーの下に配置されたＬＥＤによって第２のルミネセンス・イメージが空間的にペイントされる。第２のルミネセンス・イメージは３次元の品質を有する。というのは、第２のルミネセンス・イメージは、見る人に近づき、離れるように移動するからである。
【００３３】
説明した動きすなわち、横、円弧などの他に、本発明を、具体的には円パターンの動きを含むがこれに制限されない動きの他のパターンを用いて実施することができる。
【００３４】
一実施形態では、他の見る人のためにイメージを空間的にペイントするのにＬＥＤの１つのグループを使用し、別のグループのＬＥＤを使用して、同一のイメージを空間的にペイントするか、無線移動電話機のユーザにある視覚的インジケータを提供することができる。ユーザに見えるＬＥＤによって、明瞭なルミネセンス・イメージを空間的にペイントするために、無線移動電話機の動きのタイミングをユーザが決めるのを助けることができる。前にほのめかしたように、ユーザが見るために配置されたＬＥＤによって、他者に投影されるものと同一のルミネセンス・イメージをユーザが空間的にペイントするのを助けることができる。ユーザは、無線移動電話機を、自分自身にとって明瞭なルミネセンス・イメージを空間的にペイントする速度で無線移動電話機を動かす。
【００３５】
代替案では、単一のタイミングＬＥＤを、その代わりに使用することができる。タイミングＬＥＤは、ユーザが上で説明した形で電話機を動かしている間にユーザに見える位置に配置される。無線移動電話機が動かされている時に、ユーザは、タイミングＬＥＤによってペイントされる実線のルミネセンス・イメージを維持するようにする。動きの最適の速度は、その実線を維持するのに必要な最小速度である。より速い動きによって、イメージが圧縮される。より低速の動きによって、画像が不明瞭になるか壊れる。タイミングＬＥＤはイメージをペイントする手順中に「オン」の状態に保たれる。その代わりに、タイミングＬＥＤを、動きの最適速度で破線が表示される速度でオンおよびオフを繰り返させることができる。もう１つの実施形態では、可聴トーンを使用して、よりよい視覚的結果をもたらす速度でユーザが電話機を動かすのを案内することができる。たとえば、ブザーのトーンを提供して、ユーザに対する案内として働かせることができる。もう１つの実施形態では、振動などの触覚フィードバックを提供して、ユーザを案内することもできる。
【００３６】
その結果、動くイメージを含むルミネセンス・イメージの空間ペインティングが無線移動電話機を使用して行われる。
【００３７】
図６に、代替構成での無線移動電話機を使用するルミネセンス・イメージの空間ペインティングを行える無線移動電話機の代替構成を示す。図６からわかるように、アンテナおよびキーパッドの反転された配置を有する無線移動電話機６００に、スピーカ区域６０１、スピーカ区域６０１の真下の複数のキー６０２、キー６０２の下に配置されたディスプレイ区域６０３、マイクロホン区域６０４が含まれる。アンテナおよびキーパッドの反転された配置を有する無線移動電話機の例が、その主題が参照によって本明細書に組み込まれる、２００１年１月２２日出願の米国特許出願第０９／７６７５２６号、表題「Ａ  ＷＩＲＥＬＥＳＳ  ＭＯＢＩＬＥ  ＰＨＯＮＥ  ＷＩＴＨ  ＩＮＶＥＲＴＥＤ  ＰＬＡＣＥＭＥＮＴ  ＯＦ  ＡＮＴＥＮＮＡ  ＡＮＤ  ＩＮＰＵＴ  ＫＥＹＰＡＤ」に記載されている。さらに、本体ケーシングは、本発明の教示に従い、その横の外表面の１つに、長軸１１１と平行に、アンテナ６０５の反対に配置されたＬＥＤ６１０を有する。前に説明したように、無線移動電話機６００の本体ケーシングは、キー６１５の真下のマトリックス配置など（これに制限はされない）のさまざまな代替の形で配置されたＬＥＤ６１０を有することができる。さらに、前に説明したように、無線移動電話機６００は、少なくともＬＥＤ６１０の数および配置に基づいて、動いている時または静止している時のいずれかのルミネセンス・イメージを空間的にペイントすることができる。アンテナおよびキーパッドを反転された配置の無線移動電話機６００によって、図７Ａ、７Ｂに付随するテキストで説明する無線移動電話機の動きを増やすのが容易になる。
【００３８】
図７Ａ、７Ｂに、本発明の一実施形態による、ルミネセンス・イメージを空間的にペイントするのに使用される無線移動電話機の動きを増やす手段を示す。図７Ａからわかるように、無線移動電話機７００は、ＬＥＤ７１０がキー７０２の下に配置された、反転構成である。図７Ａでは、カンチレバー・アタッチメント７０５がアンテナ７０６に取り付けられ、長軸１１１と平行に、無線移動電話機７００の下面の下に垂直方向に延びている。無線移動電話機７００へのレバー・アームのこの追加によって、無線移動電話機がカンチレバー・アタッチメント７０５によって保持される時の横の動きの速度の増加すなわち、反転構成の無線移動電話機７００の角加速度の増加が容易になる。図７Ａに示された実施形態では、カンチレバー・アタッチメント７０５が、横の動き７１５で反転構成の無線移動電話機７００を動かすのに使用される。横の動き７１５の速度のこの増加によって、ルミネセンス・イメージの解像度が改善される。さまざまな実施形態で、反転無線移動電話機の追加されたカンチレバー・アタッチメントから生じる振動を改善するために、カンチレバー・アタッチメント７０５がゴムなど（これに制限はされない）のエラストマ材料から作られる。
【００３９】
図７Ａからわかるように、カンチレバー・アタッチメント７０５は、アンテナ７０６に取り付けられる別の部品である。しかし、カンチレバー・アタッチメント７０５は、本体ケーシングに取り付けられる相対的に長い１ピースのアンテナなど（これに制限はされない）の無線移動電話機７００の動きの速度を高めるなんらかのタイプの延長とすることができる。さらに、無線移動電話の動きのこのタイプの増加を、ルミネセンス・イメージの生成および表示を実現するのに使用されるすべてのタイプの無線移動電話機に適用することができる。本発明が、電話機の上側に配置されたアンテナを有する無線移動電話機で実装される時に、ユーザがアンテナを下に向けて反転した位置で電話機を保持したときに正しく見えるように、表示されるグラフィックまたはテキスト・イメージを反転することができる。
【００４０】
図７Ｂを参照すると、ＬＥＤ７１０が長軸１１１と平行にアンテナ７２０と反対側の側面に配置された、アンテナとキーパッドの反転配置を有する無線移動電話機７００の一実施形態が示されている。図７Ｂでは、アンテナ７２０の折り曲げが、折り曲げ点７２１で垂直に９０°の折り曲げとして示されている。折れ曲がったアンテナ７２０は、折り曲げ位置でロックされるハンドル７２２でユーザによって保持される。折り曲げ位置のロックは、既知の機械式ロック方法のいずれかによって達成することができる。ユーザは、ハンドル７２２での無線移動電話機７００の回転に移り、無線移動電話機７００のより高い速度が容易に得られる。この回転のより高い速度によって、ルミネセンス・イメージの解像度が高まる。同様に、ＬＥＤ７１０の配置は、無線移動電話機７００の中／上の任意の位置とすることができ、折れ曲がったアンテナ７２０は、ＬＥＤ７１０を最も効果的な方向を向かせるために、代替の方向に折れ曲がるように構成することができる。図７Ｂには、アンテナおよびキーパッドの反転配置を有する無線移動電話機を、ユーザが空間的動きを制御できるようにするための方法が示されているが、従来の配置の無線移動電話機を類似する形で拡張することができる。
【００４１】
その結果、ルミネセンス・イメージの空間ペインティングを行うのに使用される無線移動電話機の動きを本発明の一実施形態に従って増やすことができる。
【００４２】
図８Ａから８Ｃに、本発明の教示による、２つの部分を含み、その一方が交換可能である本体ケーシングを有する無線移動電話機を使用するルミネセンス・イメージの空間ペインティングを示す。図８Ａ、８Ｂに、むき出しにされた移動電話機８００および交換可能なカバリング８２０を含む本体ケーシングを有する無線移動電話機を示す。むき出しにされた移動電話機８００および交換可能なカバリング８２０は、むき出しにされた移動電話機８００（図８Ａに図示）の左側が、交換可能なカバリング８２０（図８Ｂに図示）の右側に対応する配置である、すなわち、図８Ｂは、交換可能なカバリング８２０の内側の図である。本発明の一実施形態によれば、交換可能なカバリング８２０に、交換可能なカバリング８２０のテーマに対応するルミネセンス・イメージを生成し表示するデータ／プログラミングを有する組込み電子部品８２３が含まれる。交換可能なカバリングの例が、その主題が参照によって本明細書に組み込まれる、２００１年７月１７日出願の米国特許出願第ＥＬ９１０７８４４１８ＵＳ号、表題「ＰＥＲＳＯＮＡＬＩＺＩＮＧ  ＥＬＥＣＴＲＯＮＩＣ  ＤＥＶＩＣＥＳ  ＡＮＤ  ＳＭＡＲＴ  ＣＯＶＥＲＩＮＧ」に開示されている。ルミネセンス・メッセージの空間ペインティングを行うためにＬＥＤのアクティブ化および非アクティブ化を制御するデータおよび／またはプログラミング・論理は、不揮発性メモリ（図９で符号９１０として図示）などの無線移動電話機の電子部品か、その代わりに、交換可能なカバリング８２０の電子部品８２３に保管することができる。電子部品は、マイクロプロセッサ、メモリ、その両方の組合せ、または類似する他の電子部品とすることができる。
【００４３】
図８Ａから８Ｃに示された実施形態では、交換可能なカバリング８２０の電子部品８２３に、乳製品（これに制限はされない）などのテーマを含めることができる。交換可能なカバリング８２０の電子部品８２３に保管されるデータおよび／またはプログラミング・論理に、乳製品に関連するイメージを含めることができる。ユーザが、電子部品８２３とのインターフェースを形成するカプラ８１０を有する無線移動電話機に交換可能なカバリング８２０を取り付けたならば、自動的に生成され表示されるルミネセンス・イメージを、図８Ｃの例に示されたものなどの乳業関連イメージとすることができる。さらに、生成され表示されるルミネセンス・イメージを乳牛などのルミネセンス・イメージとすることができる。
【００４４】
図８Ａから８Ｃでは、前に説明したように、ＬＥＤを、むき出しにされた移動電話機８００および／または交換可能なカバリング８２０に、本発明の趣旨および範囲の中で企図されたさまざまな形で配置することができる。さまざまな実施形態で、交換可能なカバリング８２０を交換可能な面板とすることができ、他の実施形態で、カバリング８２０を交換可能な「スキン」とすることができる。
【００４５】
結果として、本発明の教示に従って、交換可能なカバリングを組み込んだ無線移動電話機を使用するルミネセンス・イメージの空間ペインティングが説明された。
【００４６】
図９に、本発明の一実施形態による、無線移動電話機（符号１００、４００、５００、６００、７００、および８００として図示）などの無線クライアント・デバイスの内部部品の図を示す。図からわかるように、無線デバイス９００には、マイクロコントローラ／プロセッサ９０３、ディジタル信号プロセッサ（ＤＳＰ）９０２、通信インターフェース９１１、送信器／受信器（ＴＸ／ＲＸ）９１３（トランシーバとも称する）、および汎用入出力（ＧＰＩＯ）９１５などの普通の移動クライアント・デバイスにある要素が含まれる。本発明の教示を除いて、これらの要素によって、従来技術で既知の普通の機能が実行される。具体的に言うと、ＴＸ／ＲＸ９１３によって、符号分割多重多元接続（ＣＤＭＡ）、時分割多重多元接続（ＴＤＭＡ）、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ）、ｃｅｌｌｕｌａｒ  ｄｉｇｉｔａｌ  ｐａｃｋｅｔ  ｄａｔａ（ＣＤＰＤ）などを含むがこれに制限されない既知のシグナリング・プロトコルのいずれかの１つまたは複数をサポートすることができる。同様に、通信インターフェース９１１によって、赤外線、ブルートゥース、ＩＥＥＥ  ８０２．１１ｂなどを含むがこれに制限されない１つまたは複数の無線通信プロトコルをサポートすることができる。本発明の趣旨および範囲から逸脱せずに、これらの要素の１つまたは複数を省略できることに留意されたい。たとえば、ルミネセンス・イメージは、無線移動電話機を使用して生成され、表示されるので、無線移動電話機（符号１００、４００、５００、６００、７００、および８００として図示）のスピーカやマイクロホンを省略することができる。というのは、ルミネセンス・イメージが性質的に通信であるからであるが、それだけでなくその必要性がない場合だからである。構成が既知なので、これらの要素はこれ以上説明しない。
【００４７】
無線移動電話機９００には、ＬＥＤ９０４、および不揮発性メモリ９１０によってホスティングされるＬＥＤ９０４の補助論理９０７が含まれる。補助論理９０７には、ＬＥＤ９０４（符号１１０、４１５、６１０、および７１０として図示）を選択的にアクティブ化するためにマイクロコントローラ／プロセッサ９０３によって実行される論理が含まれる。一実施形態では、補助論理によって、マイクロコントローラ／プロセッサ９０３が、ルミネセンス・イメージを生成し表示するためにＬＥＤ９０４を選択的にアクティブ化するようになっている。
【００４８】
図９には、さらに、無線移動電話機９００の動きの向きの変化に対応する加速度の変化に関するデータ信号をマイクロコントローラ／プロセッサ９０３に送る加速度計９５０が示されている。無線移動電話機９００の部品の小さいサイズに対処するために、加速度計は、圧電超小型加速度計（これに制限はされない）などの既知の超小型加速度計のいずれかのタイプとすることができる。加速度計９５０は、マイクロコントローラ／プロセッサ９０３に信号を送って、ＬＥＤ９０４の選択的なアクティブ化を調整する。代替実施形態では、移動速度またはレートなどの電話機の空間的動きを示す１つまたは複数の運動属性を感知する他の機構も、その代わりに使用される。
【００４９】
図１０に、本発明の一実施形態による、図８の電子部品８２３などの電子部品を有する交換可能なカバリングの内部部品の図を示す。図からわかるように、交換可能なカバリング１０００は、組込み電子部品１０２０を有する。電子部品は、マイクロプロセッサ、メモリ、またはこの両方の組み合わせとすることができる。さらに、交換可能なカバリング１０００に、任意選択として、ＧＰＩＯ １０１５および加速度計１０２５などの要素が含まれる。
【００５０】
交換可能なカバリング１０００には、ＬＥＤ１００４、および電子部品１０２０によってホスティングされるＬＥＤ１００４の補助論理１００７が含まれている。補助論理１００７には、ＬＥＤ１００４を選択的にアクティブ化するために電子部品１０２０によって実行される論理が含まれ、これらのＬＥＤは、交換可能なカバリングまたは本体ケーシングに配置することができる（符号１１０、４１５、６１０、および７１０に図示）。交換可能なカバリング１０００内の補助論理１００７を実行して、本体ケーシング内のＬＥＤを選択的にアクティブ化して、図８Ｃに示されたルミネセンス・イメージなどの事前に保管されたルミネセンス・イメージを空間的にペイントすることができる。その代わりに、交換可能なカバリング１０００内の補助論理１００７を実行して、交換可能なカバリング１０００自体のＬＥＤ１００４を選択的にアクティブ化することができる。
【００５１】
図１１に、本発明の一実施形態による、ルミネセンス・イメージを空間的にペイントするためのＬＥＤのオンおよびオフの切り替えを示す。図１１に示されているのは、単一の文字のテキスト列「Ｓ」（これに制限はされない）を空間的にペイントするイメージ１１０１の指定の例である。図１１には、イメージ１１０１の指定に対応するビットマップ１１０５も示されている。ビットマップ１１０５は、イメージ１１０１のルミネセンス指定を空間的にペイントするために空間移動サイクルの特定の点で光るＬＥＤを表す星印１１０６からなることが示されている。ビットマップ１１０５の空白区域１１０７は、空間移動サイクルのさまざまな点でオフにされているＬＥＤを表す。移動サイクルは、一方の端の空間から他方の端へ、たとえば、左の空間の端から右の空間の端へ、または右の空間の端から左の空間の端への移動である。
【００５２】
一実施形態では、少なくともコマンドのマトリックス１１１０に基づいて、ＬＥＤが、オンにされるか、オフにされるか、オン／オフ状態を維持される（すなわち変更されない）。コマンドのマトリックス１１１０は、イメージ１１０１の指定から変換され、ＬＥＤのアクティビティのサイクルに対応する。図１１からわかるように、コマンドのマトリックス１１１０には、空間移動サイクルのさまざまな位置の、ＬＥＤをオンにするコマンド（「○」）１１１５、ＬＥＤをオフにするコマンド（「×」）１１２０、およびＬＥＤを無変更にするコマンド（「−」）１１２５が含まれる。マトリックス１１００の同一の列位置を占めるコマンドは、同時に実行される。図１１では、図示のコマンドが、例示的な左から右への移動（見る人の観点から）に関する。逆の右から左への移動の対応するコマンドは、図示のコマンドから、各行の「オン」および「無変更」コマンドの各シーケンスの「最初の」「オン」コマンドと「最後の」「無変更」コマンドを「置換する」ことによって導出される。たとえば、左から右への動きの第１行の図示のシーケンス「○−−−」（左から右に実行される）は、逆の右から左への動きについて「−−−○」（右から左に実行される）に変更される。無変更コマンド（「−」）１１２５は、ＬＥＤが、既にオンにする（「○」）１１１５コマンドまたはオフにする（「×」）１２０コマンドを有しているとき、ＬＥＤが不必要なコマンドを持たないようにするのに役立ち、ＬＥＤをそれぞれ「オン」または「オフ」のままとさせる。これらの情況では、オン／オフ・コマンドを、これらのＬＥＤについて繰り返す必要がない。
【００５３】
図１１に示された実施形態では、単一文字を有するテキスト列のイメージの指定が示されている。しかし、前に説明したように、イメージの指定に、複数の文字を有するテキスト列を含めることができ、あるいは、イメージの指定を、図５Ｂに示されたイメージなどのイメージの一部とすることができる。イメージの指定に、複数文字のテキスト列が含まれる場合には、各文字を空間的にペイントした後にすべてのＬＥＤをオフにするコマンドも実施することができる。
【００５４】
図１２に、本発明の一実施形態による、無線移動電話機を使用するルミネセンス・イメージの空間ペインティングを行うために適用される補助論理の動作フローを示す。この処理は、ブロック１２０２で開始され、このブロックで、空間的にペイントされるイメージの指定を受け取る。前に説明したように、ルミネセンス・イメージをＬＥＤを使用して空間的にペイントすることができる。イメージの指定を、ＬＥＤをオンにする、オフにする、または無変更にするコマンドのマトリックスに変換する１２０３。
【００５５】
イメージの指定がコマンドのマトリックスに変換されたならば、サイクル・カウンタを初期化し、前に説明したように、加速度計によって、非方向依存イメージを表示する動きの向きを示す１２０４、すなわち、逆方向のイメージを防ぐ。コマンドのマトリックスを使用して、ＬＥＤのアクティビティのサイクル中に、ＬＥＤをオンにするか、オフにするか、無変更にする１２０５。
【００５６】
ＬＥＤのアクティビティのサイクルの終りに、動きの向きの変化が検出されたかどうかを判定する１２０６。動きの向きの変化が検出された場合には、サイクル・カウンタを、やはり向きの表示を用いて初期化して、逆方向のイメージを防ぐためにイメージを逆の方向で空間的にペイントする。しかし、動きの向きが変化していない場合には、イメージの指定の増分または減分をカウントする、すなわち、後続イメージまたはイメージの部分を、空間的にペイントする１２０７。
【００５７】
イメージの指定が増分または減分で空間的にペイントされる時に、イメージの終りに達したかどうかが判定される１２０８。イメージの終りが空間的にペイントされた、すなわち、イメージの指定が、完全に空間的にペイントされた場合に、動きの向きの変化が検出されたかどうかを判定する。しかし、イメージの終りが空間的にペイントされていない場合には、ＬＥＤのアクティビティが継続される。
【００５８】
いくつかの実施形態で、追加の部品を含めるか、上の部品のすべてを不要とするか、１つまたは複数の部品を組み合わせることができる。
【００５９】
一実施形態では、本発明は、上で説明したように、１つまたは複数のマイクロコントローラ／プロセッサを使用して実現される。一実施形態では、本発明は、１つまたは複数のマイクロコントローラ・プロセッサによって実行されるソフトウェア・ルーチンを使用して実施される。
【００６０】
一実施形態で、ソフトウェア・ルーチンが、Ｃプログラミング言語で記述される。ソフトウェア・ルーチンを、さまざまなプログラミング言語のいずれかで実施できることを諒解されたい。代替実施形態では、本発明が、別個のハードウェアまたはファームウェアで実施される。たとえば、１つまたは複数の特定用途向け集積回路（ＡＳＩＣ）を、上で説明した機能の１つまたは複数によってプログラムして、複数のＬＥＤのサブセットを選択的にアクティブ化することができる。もう１つの例では、ルミネセンス・イメージを空間的にペイントする１つまたは複数の機能を、追加の回路基板上の１つまたは複数のＡＳＩＣで実施することができ、この回路基板を、上で説明した無線移動電話機または交換可能なカバリングに挿入することができる。もう１つの例では、フィールド・プログラマブル・ゲート・アレイ（ＦＰＧＡ）またはスタティック・プログラマブル・ゲート・アレイ（ＳＰＧＡ）を使用して、本発明の１つまたは複数の機能を実施することができる。もう１つの例では、ハードウェアおよびソフトウェアの組合せを使用して、本発明の１つまたは複数の機能を実施することができる。
【００６１】
したがって、無線移動電話機を使用するルミネセンス・イメージの空間ペインティングを説明した。本発明を上記の実施形態に関して説明したが、本発明が、説明された実施形態に制限されないことを、当業者は認めるであろう。本発明を、請求項の趣旨および範囲に含まれる修正および変更を加えて実践することができる。したがって、この説明は、本発明に対する制限ではなく、例示とみなされなければならない。
【図面の簡単な説明】
【００６２】
【図１】本発明の教示を組み込まれた、無線移動デバイス、具体的には無線移動電話機の一実施形態を示す図である。
【図２】本発明の一実施形態による、無線移動電話機を使用して容易にされる例示的なルミネセンス・イメージを示す図である。
【図３】本発明の一実施形態による、無線移動電話機のＬＥＤを使用するルミネセンス・イメージの空間ペインティングに対する異なるタイプの動きの効果を示す図である。
【図４】無線移動電話機を使用することによって容易にされる、ルミネセンス・イメージの空間ペインティングに関する本発明の代替実施形態を示す図である。
【図５】本発明の代替実施形態による、無線移動電話機の使用によって容易にされる、具体的にはマトリックス配置で数を増やされたＬＥＤを有する無線移動電話機本体ケーシングを使用する、ルミネセンス・イメージの空間ペインティングを示す図である。
【図６】代替構成での無線移動電話機を使用するルミネセンス・イメージの空間ペインティングを行うことを示す図である。
【図７】本発明の一実施形態による、ルミネセンス・イメージを空間的にペイントするのに使用される無線移動電話機の増やす動きの手段を示す図である。
【図８】本発明の教示による、２つの部分を含み、その一方が交換可能である本体ケーシングを有する無線移動電話機を使用するルミネセンス・イメージの空間ペインティングを示す図である。
【図９】本発明の一実施形態による、無線移動電話機などの無線クライアント・デバイスの内部部品を示す図である。
【図１０】本発明の一実施形態による、ストレージ／マイクロプロセッサ・チップなどの交換可能なカバリングに組み込まれるストレージ／マイクロプロセッサ・チップの内部部品を示す図である。
【図１１】本発明の一実施形態による、無線移動電話機を使用するルミネセンス・イメージの空間ペインティングを行うために適用される補助論理の動作フローを示す図である。
【図１２】本発明の一実施形態による、無線移動電話機を使用するルミネセンス・イメージの空間ペインティングを行うために適用される補助論理の動作フローを示す図である。
【図１】
2005517970.tif 000003
【図２】
2005517970.tif 000004
【図３】
2005517970.tif 000005
【図４Ａ】
2005517970.tif 000006
【図４Ｂ】
2005517970.tif 000007
【図５Ａ】
2005517970.tif 000008
【図５Ｂ】
2005517970.tif 000009
【図６】
2005517970.tif 000010
【図７Ａ】
2005517970.tif 000011
【図７Ｂ】
2005517970.tif 000012
【図８Ａ】
2005517970.tif 000013
【図８Ｂ】
2005517970.tif 000014
【図８Ｃ】
2005517970.tif 000015
【図９】
2005517970.tif 000016
【図１０】
2005517970.tif 000017
【図１１】
2005517970.tif 000018
【図１２】
2005517970.tif 000019
【国際調査報告】
2005517970.tif 000020
2005517970.tif 000021
2005517970.tif 000022